(57)【要約】  【課題】  ブルーレイディスクを含む３種類の記録媒体を同時的に作動可能にして、多様な記録形態を実現する。  【解決手段】  録画装置１は、筐体２の前面に開閉可能なパネル部３を設け、パネル部３の開放により露出する筐体面に形成した開口２ｃ、２ｅからＢＤ用の第１トレイ１１とＤＶＤ用の第２トレイ１２を引き出す構成にする。筐体２の内部にはハードディスク装置１７を取り付けて、ＢＤ、ＤＶＤ、及びハードディスク装置１７の間でダビング処理を可能にする。また、録画装置１は各種放送を受信するチューナ部を内蔵し、受信した放送番組をＢＤ、ＤＶＤ、又はハードディスク装置１７に録画でき、さらにＩＥＥＥ１３９４端子部を設けて外部の装置との間でもデータの送受を可能にする。【選択図】      図３
2006139833.tif 000002
【特許請求の範囲】
【請求項１】
記録媒体に記録されているデータの読み出し処理を行うことが可能な複数のデータ処理部を備えるデータ処理装置において、
第１記録媒体を受け入れる第１受入部と、
該第１受入部で受け入れた第１記録媒体に対してデータの書き込み処理及び読み出し処理を行う第１データ処理部と、
第２記録媒体を受け入れる第２受入部と、
該第２受入部で受け入れた第２記録媒体に対してデータの読み出し処理を行う第２データ処理部と、
第３記録媒体に対してデータの読み出し処理を行う第３データ処理部と
を備え、
第１記録媒体は、片面の記録容量が８．６ギガバイト以上の光ディスクであることを特徴とするデータ処理装置。
【請求項２】
前記第１データ処理部は、
前記第２データ処理部との間、及び第３データ処理部との間でそれぞれデータを伝送できるように接続してあり、
前記第２データ処理部が第２記録媒体から読み出したデータ及び前記第３データ処理部が第３記録媒体から読み出したデータを第１記録媒体に書き込めるようにしてある請求項１に記載のデータ処理装置。
【請求項３】
前記第２データ処理部は、
第２記録媒体にデータの書き込み処理を行う手段を備え、
前記第１データ処理部が第１記録媒体から読み出したデータを第２記録媒体に書き込めるようにしてある請求項２に記載のデータ処理装置。
【請求項４】
前記第３データ処理部は、
第３記録媒体にデータの書き込み処理を行う手段を備え、
前記第１データ処理部が第１記録媒体から読み出したデータを第３記録媒体に書き込めるようにしてある請求項２又は請求項３に記載のデータ処理装置。
【請求項５】
前記第２データ処理部は、
前記第３データ処理部との間でデータを伝送できるように接続してあり、
第２記録媒体にデータの書き込み処理を行う手段を備え、
前記第１データ処理部が第１記録媒体から読み出したデータ及び前記第３データ処理部が第３記録媒体から読み出したデータを第２記録媒体に書き込めるようにしてある請求項２に記載のデータ処理装置。
【請求項６】
前記第３データ処理部は、
前記第２データ処理部との間でデータを伝送できるように接続してあり、
第３記録媒体にデータの書き込み処理を行う手段を備え、
前記第１データ処理部が第１記録媒体から読み出したデータ及び前記第２データ処理部が第２記録媒体から読み出したデータを第３記録媒体に書き込めるようにしてある請求項２に記載のデータ処理装置。
【請求項７】
前記第３データ処理部は、
第３記録媒体にデータの書き込み処理を行う手段を備え、
前記第１データ処理部が第１記録媒体から読み出したデータ及び前記第２データ処理部が第２記録媒体から読み出したデータを第３記録媒体に書き込めるようにしてある請求項５に記載のデータ処理装置。
【請求項８】
外部との接続を行う接続部を備え、
前記第３データ処理部は、前記接続部との間でデータを伝送できるように接続してある請求項４、請求項６、又は請求項７のいずれか１つに記載のデータ処理装置。
【請求項９】
前記第１データ処理部は、前記接続部との間でデータを伝送できるように接続してある請求項８に記載のデータ処理装置。
【請求項１０】
前記第１受入部は、第１記録媒体を載置する第１トレイを備え、
第２記録媒体は、ディスク形状であり、
前記第２受入部は、第２記録媒体を載置する第２トレイを備える請求項１乃至請求項９のいずれか１つに記載のデータ処理装置。
【請求項１１】
第３記録媒体は、ハードディスク装置であり、
該ハードディスク装置は装置筐体の内部に取り付けてある請求項１乃至請求項１０のいずれか１つに記載のデータ処理装置。
【請求項１２】
放送されるコンテンツデータを受信する受信部を備え、
該受信部は、受信したコンテンツデータを伝送できるように前記第１データ処理部及び第２データ処理部と接続してある請求項３、請求項５、又は請求項７のいずれか１つに記載のデータ処理装置。
【請求項１３】
前記受信部が受信するコンテンツデータの書き込み先に第１記録媒体又は第２記録媒体を選択する指示を受け付ける受付手段と、
該受付手段が受け付けた指示に応じて前記第１データ処理部又は第２データ処理部で前記受信部が受信したコンテンツデータの書き込み処理を行わせる手段と
を備える請求項１２に記載のデータ処理装置。
【請求項１４】
放送されるコンテンツデータを受信する受信部を備え、
前記受信部は、受信したコンテンツデータを伝送できるように前記第１データ処理部、第２データ処理部、及び第３データ処理部と接続してあり、
前記受信部が受信するコンテンツデータの書き込み処理を前記第１データ処理部又は第２データ処理部で行わせる手段と、
前記書き込み処理の進行に応じてコンテンツデータの書き込み処理を前記第３データ処理部に切り替えて行わせる手段と、
前記書き込み処理の進行に応じてコンテンツデータの書き込み処理を前記第２データ処理部又は第１データ処理部に切り替えて行わせる手段と
を備える請求項７に記載のデータ処理装置。
【請求項１５】
前記受信部は、デジタル放送のコンテンツデータを受信する手段を備える請求項１２乃至請求項１４のいずれか１つに記載のデータ処理装置。
【請求項１６】
前記受信部が受信するコンテンツデータに応じて該コンテンツデータの書き込み処理を前記第１データ処理部又は第２データ処理部で行わせるかを特定する手段を備える請求項１２乃至請求項１５のいずれか１つに記載のデータ処理装置。
【発明の詳細な説明】
【技術分野】
【０００１】
本発明は、複数の記録媒体に対するデータの読み込み処理を行うものであり、特に、片面単層の最大記録容量が２７ＧＢ（Giga byte：ギガバイト）であるブルーレイディスク又は片面単層の記録容量が１５ＧＢであるＨＤ  ＤＶＤ（High Definition ＤＶＤ）のように、従来のＤＶＤ（Digital Versatile Disk）よりも遙かに高密度仕様の光ディスクに対するデータの書き込み処理及び読み出し処理を他の記録媒体との間で多様な形態で行えるようにしたデータ処理装置に関する。
【背景技術】
【０００２】
従来、放送番組の録画装置として磁気テープに録画を行うＶＨＳ（Video Home System）方式のものが広く普及していた。昨今は、ＤＶＤのような光ディスクに録画を行う録画装置、また、ＤＶＤの駆動部に加えてハードディスク装置を内蔵してＤＶＤとハードディスク装置のいずれにも録画できると共に、録画内容を両者間でダビング処理できるようにした録画装置も存在する。さらには、磁気テープ及びＤＶＤの各駆動部を設けると共にハードディスク装置も内蔵して計３種類の記録媒体に録画できるようにした録画装置もある。
【０００３】
ＤＶＤとハードディスク装置に録画できる録画装置には、最初にＤＶＤへ録画を行い、ＤＶＤの空き容量が減少するにつれて、ハードディスク装置へ録画を切り替えて番組を完全に記録保存できるようにしたものがある（特許文献１参照）。
また、複数の記録媒体として２枚の光ディスクに対し同時的に記録及び再生を行えるように再生専用処理部及び記録専用処理部を設けて、計２つのディスクトレイを具備する装置も開示されている（特許文献２参照）。
【０００４】
一方、近時、ＤＶＤ以上の記録容量を確保した光ディスクの記録媒体として、ブルーレイディスク（Blu-ray Disc：登録商標）及びＨＤ  ＤＶＤ（High Definition ＤＶＤ）が発表されている。例えば、ブルーレイディスクの場合は片面単層の記録容量は２３．３ＧＢ、２５ＧＢ、２７ＧＢの３種類が規格化されており、ＨＤ  ＤＶＤの場合は片面単層の記録容量が１５ＧＢであるものが発表されており、２０ＧＢの仕様も検討されている。このように両者はいずれも１５ＧＢ以上の記録容量を有し、ブルーレイディスクでは２時間に及ぶデジタルハイビジョン放送の番組を１枚のディスクに録画できる。ブルーレイディスクに対応した録画装置は、波長が４００ｎｍ帯の青色光を発する光ピックアップを有する（特許文献３参照）。
また、ＣＤ（Compact Disc）、ＤＶＤ、及びブルーレイディスクの３種の光ディスクに対応しながら装置の省スペース化を図るため長波長（ＣＤ用）、中波長（ＤＶＤ用）、及び短波長（青色レーザ）の計３波長を発光できるようにした光ピックアップユニットを備えるディスク記録装置も開示されている（特許文献４参照）。
【特許文献１】特開２００２−７４８３９号公報
【特許文献２】特開２００３−２８８７７１号公報
【特許文献３】特開２００４−１９２８０１号公報
【特許文献４】特開２００４−１０３１３５号公報
【発明の開示】
【発明が解決しようとする課題】
【０００５】
上述した特許文献３及び特許文献４に係る装置は、ブルーレイディスクに対するデータの記録再生処理を単に行えるようにしただけなので、２０ＧＢ以上の大容量を確保したブルーレイディスクの特性を生かし、他の記録媒体と柔軟に連携して記録再生処理を行うと云うような多様な記録形態に対応できない問題がある。また、特許文献１及び特許文献２に係る装置に対し、２つの記録媒体の一方をブルーレイディスクに置き換えたとしても、２つの記録媒体だけでは、大容量のデータ記録が可能なブルーレイディスクの特性を十分に発揮できるような記録形態及びダビング処理形態を実現できないと云う問題がある。なお、上述した各問題は、ブルーレイディスクの替わりにＨＤ  ＤＶＤ（High Definition ＤＶＤ）を適用した場合でも同様に生じる。
【０００６】
本発明は、斯かる問題に鑑みてなされたものであり、ブルーレイディスク又はＨＤ  ＤＶＤ（High Definition ＤＶＤ）のようなＤＶＤに比べて高密度仕様の光ディスクに対してデータの書き込み及び読み出しを行うと共に、着脱タイプの記録媒体及び更に別の記録媒体にデータ処理を行えるようにし、計３つの記録媒体を連携させて大容量の光ディスク記録媒体の特性を十分に生かした多様な記録形態を実現できるデータ処理装置を提供することを目的とする。
また、本発明は、外部装置との接続部を設けることで、外部装置との組み合わせにより一段と多様なダビング処理形態を行えるようにしたデータ処理装置を提供することを目的とする。
【０００７】
さらに、本発明は、放送の受信を行う受信部を組み合わせることで、各種番組をスムーズに録画できるようにすると共に、データ量が非常に大きいデジタルハイビジョン放送も支障無く録画できるようにしたデータ処理装置を提供することを目的とする。
【課題を解決するための手段】
【０００８】
上記課題を解決するために本発明に係るデータ処理装置は、記録媒体に記録されているデータの読み出し処理を行うことが可能な複数のデータ処理部を備えるデータ処理装置において、第１記録媒体を受け入れる第１受入部と、該第１受入部で受け入れた第１記録媒体に対してデータの書き込み処理及び読み出し処理を行う第１データ処理部と、第２記録媒体を受け入れる第２受入部と、該第２受入部で受け入れた第２記録媒体に対してデータの読み出し処理を行う第２データ処理部と、第３記録媒体に対してデータの読み出し処理を行う第３データ処理部とを備え、第１記録媒体は、片面の記録容量が８．６ギガバイト以上の光ディスクであることを特徴とする。
【０００９】
本発明にあっては、ブルーレイディスク又はＨＤ  ＤＶＤ（High Definition ＤＶＤ：以下「ＨＤＤＶＤ」と称す）のような大容量の光ディスクに対してデータの書き込み処理及び読み出し処理を行う第１データ処理部に加えて、データの読み出し処理を行う第２データ処理部及び第３データ処理部を備えるので、１つの装置で少なくとも３種類の記録媒体に対応できるようになる。しかも複数の記録媒体の中の１つは大容量のデータを記録できるデータ保存に適した着脱タイプのブルーレイディスク又はＨＤＤＶＤのような大容量の光ディスクであるため、データのバックアップ用途等の大記録容量が必要な記録形態にも十分対応できる。なお、従来のＤＶＤでは、片面２層の場合でも片面の総記録容量は、８．５ＧＢ以下であるため、本発明の第１記録媒体に相当する片面の記録容量が８．６ギガバイト（ＧＢ）以上の光ディスクは、ＤＶＤに比べて高密度な記録仕様のものであり、ブルーレイディスク又はＨＤＤＶＤが該当するのは当然として、将来的に規格されるＤＶＤより高密度仕様の光ディスクも勿論含まれるものとする。また、第１記録媒体である片面の記録容量が８．６ＧＢ以上の光ディスクは、記録層の数に関係なく、トータルとして片面に８．６ＧＢ以上の記録容量を確保したものが該当し、両面に記録が可能な光ディスクにおいても少なくとも一方の面にトータルとして８．６ＧＢ以上の記録容量を有するものは本発明の第１記録媒体に該当する。
【００１０】
また、第２記録媒体は第２受入部で受け入れられる着脱タイプであるため、データ処理装置は第１記録媒体及び第２記録媒体と云う２つの着脱タイプの記録媒体に対応でき、データ保存のためのダビング処理等をスムーズに行える。さらに、データに対する処理部として第１データ処理部、第２データ処理部及び第３データ処理部を独立して設けるので、同時的に３つの記録媒体に対する処理を行うことが可能となり、１つの記録媒体で録画を行いながら残りの２つの記録媒体間でダビングを行うような多様な記録形態を実現するための前提となるハード構成を提供できる。なお、第２記録媒体には磁気テープ、磁気ディスク、光ディスク、半導体メモリ及び着脱式のハードディスク装置等を適用でき、第３記録媒体は着脱式又は装置内蔵式のいずれのタイプの記録媒体を適用できる。
【００１１】
本発明に係るデータ処理装置は、前記第１データ処理部は、前記第２データ処理部との間、及び第３データ処理部との間でそれぞれデータを伝送できるように接続してあり、前記第２データ処理部が第２記録媒体から読み出したデータ及び前記第３データ処理部が第３記録媒体から読み出したデータを第１記録媒体に書き込めるようにしてあることを特徴とする。
【００１２】
本発明にあっては、第２記録媒体から読み出したデータ及び前記第３データ処理部が第３記録媒体から読み出したデータを第１データ処理部で大記録容量を有する第１記録媒体へ書き込めるので、第２記録媒体及び第３記録媒体に記録されているデータを第１記録媒体へダビング処理することが可能となり、様々な種類の記録媒体に記録されているデータを１枚のブルーレイディスク又はＨＤＤＶＤのような大容量の光ディスクにまとめて保存できるようになり、データの保管性を高められる。
【００１３】
また、本発明に係るデータ処理装置は、前記第２データ処理部は、第２記録媒体にデータの書き込み処理を行う手段を備え、前記第１データ処理部が第１記録媒体から読み出したデータを第２記録媒体に書き込めるようにしてあることを特徴とする。
本発明にあっては、第２データ処理部がデータの読み込み処理に加えて書き込み処理も行うので、ブルーレイディスク又はＨＤＤＶＤのような大容量の光ディスクに記録されているデータを持ち運びできる着脱タイプの第２記録媒体へ移動（ダビング）可能となり、大容量の光ディスク（第１記録媒体）に記録されているデータの利用性を高めることができる。
【００１４】
さらに、本発明に係るデータ処理装置は、前記第３データ処理部は、第３記録媒体にデータの書き込み処理を行う手段を備え、前記第１データ処理部が第１記録媒体から読み出したデータを第３記録媒体に書き込めるようにしてあることを特徴とする。
本発明にあっては、第３データ処理部がデータの読み込み処理に加えて書き込み処理も行うので、大容量の光ディスク（第１記録媒体）に記録されているデータを第３記録媒体へ移動（ダビング）可能となる。そのため、大容量の光ディスク（第１記録媒体）に記録されているデータをスムーズに他の記録媒体へ移動できる。
【００１５】
さらにまた、本発明に係るデータ処理装置は、前記第２データ処理部は、前記第３データ処理部との間でデータを伝送できるように接続してあり、第２記録媒体にデータの書き込み処理を行う手段を備え、前記第１データ処理部が第１記録媒体から読み出したデータ及び前記第３データ処理部が第３記録媒体から読み出したデータを第２記録媒体に書き込めるようにしてあることを特徴とする。
本発明にあっては、第２データ処理部と第３データ処理部とがデータ伝送可能に接続されると共に、第２データ処理部がデータの書き込み処理も行うので、第２記録媒体及び第３記録媒体から大容量の光ディスク（第１記録媒体）へのデータ書き込みに加えて、第１記録媒体及び第３記録媒体から第２記録媒体へのデータ書き込みを行えるようになり、計４方向でのダビング処理を可能にして複数の記録媒体を連携させた多様な記録形態を実現できる。
【００１６】
また、本発明に係るデータ処理装置は、前記第３データ処理部は、前記第２データ処理部との間でデータを伝送できるように接続してあり、第３記録媒体にデータの書き込み処理を行う手段を備え、前記第１データ処理部が第１記録媒体から読み出したデータ及び前記第２データ処理部が第２記録媒体から読み出したデータを第３記録媒体に書き込めるようにしてあることを特徴とする。
本発明にあっては、第２データ処理部と第３データ処理部とがデータ伝送可能に接続された上で、第３データ処理部がデータの書き込み処理も行うので、第２記録媒体及び第３記録媒体から大容量の光ディスク（第１記録媒体）へのデータ書き込みに加えて、第１記録媒体及び第２記録媒体から第３記録媒体へのデータ書き込みを行えるようになり、上記とは異なる計４方向のダビング処理が可能になる。
【００１７】
さらにまた、本発明に係るデータ処理装置は、前記第３データ処理部は、第３記録媒体にデータの書き込み処理を行う手段を備え、前記第１データ処理部が第１記録媒体から読み出したデータ及び前記第２データ処理部が第２記録媒体から読み出したデータを第３記録媒体に書き込めるようにしてあることを特徴とする。
本発明にあっては、第３データ処理部もデータの書き込み処理を行うので、全体として第２記録媒体及び第３記録媒体から第１記録媒体へのデータ書き込み、第１記録媒体及び第３記録媒体から第２記録媒体へのデータ書き込み、並びに第１記録媒体及び第２記録媒体から第３記録媒体へのデータ書き込みを行えるようになり、計６方向でのダビング処理を可能にして一段と多様な記録形態を確保できる。
【００１８】
本発明に係るデータ処理装置は、外部との接続を行う接続部を備え、前記第３データ処理部は、前記接続部との間でデータを伝送できるように接続してあることを特徴とする。
本発明にあっては、第３データ処理部とのデータ伝送が可能な外部との接続用の接続部を備えるので、その接続部にデータを出力できる外部装置を接続すれば、第３記録媒体へ外部装置から取得したデータを書き込めるようになり、外部装置から第３記録媒体へのダビング処理を実現できる。また、データを記録又は表示できるような外部装置を上記接続部に接続すれば、第３記録媒体に記録してあるデータを外部に保存又はユーザが視聴できるような構成を確立でき、第３記録媒体に記録されたデータを装置外で活用できる。
【００１９】
また、本発明に係るデータ処理装置は、前記第１データ処理部は、前記接続部との間でデータを伝送できるように接続してあることを特徴とする。
本発明にあっては、第１データ処理部が接続部とデータ伝送可能に接続してあるので、その接続部にデータを出力できる外部装置を接続すれば、大容量の光ディスク（第１記録媒体）へ外部から取得したデータを記録保存できる。また、データを記録又は表示できるような外部装置を上記接続部に接続すれば、大容量の光ディスク（第１記録媒体）に記録してあるデータを外部に保存又はユーザが視聴できる構成を確立でき、ブルーレイディスク又はＨＤＤＶＤのような大容量の光ディスクに記録されたデータの活用範囲を一段と広げることができる。
【００２０】
本発明に係るデータ処理装置は、前記第１受入部は、第１記録媒体を載置する第１トレイを備え、第２記録媒体は、ディスク形状であり、前記第２受入部は、第２記録媒体を載置する第２トレイを備えることを特徴とする。
本発明にあっては、第１記録媒体（光ディスク）を載置する第１トレイ及びディスク形状の第２記録媒体を載置する第２トレイと云う計２個のトレイを備えるので、ディスク形状の第１及び第２記録媒体の装置に対する着脱をスムーズに行えるようになり、第１及び第２記録媒体に係るデータの書き込み及び読み出し処理の準備を容易に行える。
【００２１】
また、本発明に係るデータ処理装置は、第３記録媒体は、ハードディスク装置であり、
該ハードディスク装置は装置筐体の内部に取り付けてあることを特徴とする。
本発明にあっては、第３記録媒体を装置筐体の内部に取り付けたハードディスク装置であるので、様々な用途に対応し得る記録容量が非常に大きいハードディスク装置と、大容量の光ディスク（第１記録媒体）とを組み合わせて多様な記録形態を実現できる。
【００２２】
さらに、本発明に係るデータ処理装置は、放送されるコンテンツデータを受信する受信部を備え、該受信部は、受信したコンテンツデータを伝送できるように前記第１データ処理部及び第２データ処理部と接続してあることを特徴とする。
本発明にあっては、前記第１データ処理部及び第２データ処理部とデータ伝送できるように接続された受信部を備えるので、受信部で受信したコンテンツデータを第１記録媒体又は第２記録媒体へ記録でき、保存に適した着脱タイプの第１記録媒体又は第２記録媒体へ直接的な録画が可能となる。そのため、一旦、ハードディスク装置へ記録してから着脱タイプの記録媒体へ再度データ保存のために移動作業をするなどの長時間のダビング処理作業を不要にできる。また、放送される番組が長時間であっても、大容量の光ディスク（第１記録媒体）は長時間録画に対応できるので、１枚の記録媒体にまとめて録画できる。
【００２３】
さらにまた、本発明に係るデータ処理装置は、前記受信部が受信するコンテンツデータの書き込み先に第１記録媒体又は第２記録媒体を選択する指示を受け付ける受付手段と、該受付手段が受け付けた指示に応じて前記第１データ処理部又は第２データ処理部で前記受信部が受信したコンテンツデータの書き込み処理を行わせる手段とを備えることを特徴とする。
本発明にあっては、受信部が受信するコンテンツデータの書き込み先を受け付ける受付手段を備えるので、ユーザが希望する記録媒体へ受信したコンテンツデータを容易に書き込めるようになる。
【００２４】
また、本発明に係るデータ処理装置は、放送されるコンテンツデータを受信する受信部を備え、前記受信部は、受信したコンテンツデータを伝送できるように前記第１データ処理部、第２データ処理部、及び第３データ処理部と接続してあり、前記受信部が受信するコンテンツデータの書き込み処理を前記第１データ処理部又は第２データ処理部で行わせる手段と、前記書き込み処理の進行に応じてコンテンツデータの書き込み処理を前記第３データ処理部に切り替えて行わせる手段と、前記書き込み処理の進行に応じてコンテンツデータの書き込み処理を前記第２データ処理部又は第１データ処理部に切り替えて行わせる手段とを備えることを特徴とする。
【００２５】
本発明にあっては、受信部が受信するコンテンツデータの書き込みを各データ処理部で順次行っていくので、非常に長時間の番組を録画する場合でも各記録媒体を連携させて一通り録画することが可能になる。なお、記録処理を行うデータ処理部の切替は、各記録媒体の空き容量を検知して放送される内容がコマーシャルであるとき、シーンが変更されたとき、音声がステレオに変わったとき等に行うことが好適である。このような切替を行うときは、第３データ処理部に係る第３記録媒体をバッファ的に用いることができ、コンテンツデータの主要部分は着脱タイプの第１記録媒体及び第２記録媒体に書き込むことができ、保存のためのダビング処理等を不要にできる。
【００２６】
さらに、本発明に係るデータ処理装置は、前記受信部は、デジタル放送のコンテンツデータを受信する手段を備えることを特徴とする。
本発明にあっては、受信部がデジタル放送のコンテンツデータを受信できるので、データ量が非常に大きいハイビジョンのデジタル放送のコンテンツデータに対しても大容量のデータ記録が可能な第１記録媒体であるブルーレイディスク又はＨＤＤＶＤのような光ディスクで確実に録画できる。
【００２７】
さらにまた、本発明に係るデータ処理装置は、前記受信部が受信するコンテンツデータに応じて該コンテンツデータの書き込み処理を前記第１データ処理部又は第２データ処理部で行わせるかを特定する手段を備えることを特徴とする。
【００２８】
本発明にあっては、受信したコンテンツデータに応じて書き込み先を特定する手段を有するので、ユーザが複数の記録媒体の中の記録先を選択するような操作を行うことなく、記録特性に応じた各記録媒体へ自動的にコンテンツデータを書き込むことができるようになる。なお、書き込み先の特定はコンテンツデータの種類に応じて行うことが好ましく、例えば、デジタルハイビジョン放送に係るコンテンツデータは、データ量が大きいため第１データ処理部で書き込み処理を行うことが好適であり、また、ＶＨＦ／ＵＨＦ放送に係るコンテンツデータは第２データ処理部で書き込み処理を行うことが好適である。
【発明の効果】
【００２９】
本発明にあっては、ブルーレイディスク又はＨＤＤＶＤのような大容量の光ディスク（第１記録媒体）に対してデータの書き込み処理及び読み出し処理を行う第１データ処理部に加えて、データの読み出し処理を行う第２データ処理部及び第３データ処理部を備えるので、１つの装置で３種類の記録媒体に対応でき、大容量のデータを記録可能な第１記録媒体の特性を生かした多様な記録形態を実現できる。
【００３０】
本発明にあっては、第２記録媒体及び第３記録媒体からそれぞれ読み出したデータを大記録容量の第１記録媒体へ書き込めるので、各記録媒体に記録されたデータを第１記録媒体へダビング処理することにより、様々な記録媒体に記録されていたデータを１枚の大容量の光ディスク（第１記録媒体）にまとめることができる。
【００３１】
本発明にあっては、第２データ処理部がデータの読み込み処理に加えて書き込み処理も行うので、大容量の光ディスク（第１記録媒体）に記録されているデータを持ち運びできる着脱タイプの第２記録媒体へ移動（ダビング）可能となり、第１記録媒体に記録されているデータの利用性を向上できる。
本発明にあっては、第３データ処理部がデータの読み込み処理に加えて書き込み処理も行うので、第１記録媒体に記録されているデータを第３記録媒体へダビング処理でき、大容量の光ディスク（第１記録媒体）に記録されているデータをスムーズに他へ移動できる。
【００３２】
本発明にあっては、第２データ処理部と第３データ処理部とがデータ伝送可能に接続されると共に、第２データ処理部がデータの書き込み処理も行うので、第２記録媒体及び第３記録媒体から第１記録媒体へのデータ書き込み、並びに第１記録媒体及び第３記録媒体から第２記録媒体へのデータ書き込みと云う計４方向のダビング処理を実現できる。
本発明にあっては、第２データ処理部と第３データ処理部とがデータ伝送可能に接続されると共に、第３データ処理部がデータの書き込み処理も行うので、第２記録媒体及び第３記録媒体から第１記録媒体へのデータ書き込み、並びに第１記録媒体及び第２記録媒体から第３記録媒体へのデータ書き込みと云う計４方向のダビング処理を実現できる。
【００３３】
本発明にあっては、第３データ処理部もデータの書き込み処理を行うので、第２記録媒体及び第３記録媒体から第１記録媒体へのデータ書き込み、第１記録媒体及び第３記録媒体から第２記録媒体へのデータ書き込み、並びに第１記録媒体及び第２記録媒体から第３記録媒体へのデータ書き込みと云う計６方向でのダビング処理を実現できる。
【００３４】
本発明にあっては、第３データ処理部とのデータ伝送が可能な外部との接続用の接続部を備えるので、外部から取得したデータを第３記録媒体へ書き込めると共に第３記録媒体に記録されたデータを外部へ出力できるようになり、接続部に接続される外部装置に応じて多方向のダビング処理を実現できる。
本発明にあっては、第１データ処理部が接続部とデータ伝送可能に接続されるので、外部から取得したデータを大容量のデータが記録可能な第１記録媒体へ記録できると共に、第１記録媒体に記録されたデータの外部出力が可能になり、一段と多方向のダビング処理を確保して様々な記録形態に対応できる。
【００３５】
本発明にあっては、第１記録媒体を載置する第１トレイ及びディスク形状の第２記録媒体を載置する第２トレイと云う計２個のトレイを備えるので、ディスク形状の第１記録媒体及び第２記録媒体の着脱をスムーズに行える。
本発明にあっては、第３記録媒体を装置筐体の内部に取り付けたハードディスク装置にするので、様々な用途に対応し得るハードディスク装置と、ブルーレイディスク又はＨＤＤＶＤのような大容量の光ディスクとを組み合わせて多様な記録形態を実現できる。
【００３６】
本発明にあっては、前記第１データ処理部及び第２データ処理部とデータ伝送できるように接続された受信部を備えるので、受信部で受信したコンテンツデータを第１記録媒体又は第２記録媒体へ記録でき、保存に適した着脱タイプの第１記録媒体又は第２記録媒体へ直接的に録画でき、無用なダビング処理を解消できる。
本発明にあっては、受信部が受信するコンテンツデータの書き込み先を受け付ける受付手段を備えるので、ユーザが希望する記録媒体へ受信したコンテンツデータを容易に書き込める。
【００３７】
本発明にあっては、受信部が受信するコンテンツデータの書き込みを各データ処理部で順次行っていくので、非常に長時間の番組を録画する場合でも各記録媒体を連携させて一通り録画できる。
本発明にあっては、受信部がデジタル放送のコンテンツデータを受信できるので、データ量が非常に大きいハイビジョンのデジタル放送のコンテンツデータに対しても大容量のデータ記録が可能なブルーレイディスク又はＨＤＤＶＤのような光ディスクで確実に録画できる。
【００３８】
本発明にあっては、受信したコンテンツデータに応じて書き込み先を特定する手段を有するので、記録特性に応じた各記録媒体へ自動的にコンテンツデータを書き込んでユーザの記録先選択に係る操作負担を軽減できる。
【発明を実施するための最良の形態】
【００３９】
図１は、本発明の実施形態に係る録画装置１（データ処理装置に相当）を示している。本実施形態の録画装置１は３種類の記録媒体に対応しており、具体的にはブルーレイディスク（第１記録媒体に相当）及びＤＶＤ系の光ディスク（第２記録媒体に相当）を装着可能にすると共に、ハードディスク装置（第３記録媒体に相当）を内蔵し、３種の記録媒体間でデータのダビング処理を可能にしている。また、録画装置１は、地上デジタル放送、ＢＳ・１１０度ＣＳデジタル放送、及び地上アナログ放送等を受信する複数のチューナ部を内蔵し、受信した放送内容（コンテンツデータ）を各記録媒体に記録できるようにしている。
【００４０】
なお、ブルーレイディスク（以下、「ＢＤ」と称す）は一般にカートリッジ内に光ディスクが収納された形態になっており、カートリッジに光ディスクを収納した状態のＢＤを録画装置１は受け入れるようにしている。また、第２記録媒体に相当するＤＶＤ系の光ディスクにはＤＶＤ−ＲＷ、ＤＶＤ＋ＲＷ、ＤＶＤ−Ｒ、ＤＶＤ＋Ｒ、ＤＶＤ−ＲＡＭ、ＤＶＤビデオ、音楽用ＣＤ、ＣＤ−Ｒ、ＣＤ−ＲＷ、及びビデオＣＤ等があり、これらの第２記録媒体に相当する光ディスクを総称して、以下「ＤＶＤ」と称す。
【００４１】
録画装置１は、高さ方向の厚みが薄い直方体状の筐体２を有し、筐体２の前面２ａ側の中央部分には開閉式のパネル部３を設けており、パネル部３の表面３ａには、ＤＶＤに対する処理状態を示すリング状の第１発光部４、様々な処理状況を表示する円形の液晶表示部５、及びＢＤに対する処理状態を示すリング状の第２発光部６を設けている。また、録画装置１は、筐体２の前面２ａの一端部分（図中では左端）に電源ボタン８ａを配置し、他端部分（図中では右側）にパネル部３の開放ボタン８ｂとリモートコントロール装置４０（図５参照）のリモコン受光部７を設けている。
【００４２】
図２は、パネル部３を開放した状態の録画装置１を示している。パネル部３の内面３ｂには各種スイッチ及びボタンが設けられており、また、パネル部３の開放により露出する筐体２の奥前面部２ｂにはＢＤ及びＤＶＤの受入部が設けられている。詳しくは、奥前面部２ｂの図中の右上部にＢＤ用の第１受入部として横長矩形状の開口２ｃが形成されると共に開口２ｃを閉鎖するようにシャッタ部２ｄが開閉可能に取り付けられ、また、奥前面部２ｂの図中の左上部にＤＶＤ用の第２受入部として横長矩形状の開口２ｅが形成され、開口２ｅを閉鎖するようにシャッタ部２ｆが開閉可能に取り付けられている。なお、各開口２ｃ、２ｅの中央側にはトレイ開閉ボタン８ｆ、８ｇが設けられている。
【００４３】
奥前面部２ｂはトレイ開閉ボタン８ｆ、８ｇの下方となる部分に、ＤＶＤに対する処理への切替操作用のＤＶＤ切替スイッチ８ｃ、ハードディスク装置に対する処理への切替操作用のＨＤＤ切替スイッチ８ｄ、及びＢＤに対する処理への切替操作用のＢＤ切替スイッチ８ｅを配置し、各切替スイッチ８ｃ〜８ｅは発光機能を具備する。また、奥前面部２ｂは各切替スイッチ８ｃ〜８ｅの右側にＢ−ＣＡＳカード挿入用のスロット部１０を設けている。なお、Ｂ−ＣＡＳカードとは、地上波デジタルテレビジョン放送、ＢＳデジタル放送、又は１１０度ＣＳデジタル放送等の各種デジタル放送の受信に必要なカードであり、デジタル放送の暗号化された放送波の暗号解除用のデータが記憶されている。
【００４４】
さらに、奥前面部２ｂは各切替スイッチ８ｃ〜８ｅの左側に、外部装置との接続用の接続部としてＩＥＥＥ（Institute of Electrical and Electronics Engineers Inc.）１３９４端子部９を設けている。このＩＥＥＥ１３９４端子部９には、ＩＥＥＥ１３９４規格に合致した接続端子を有する外部の装置（録画再生装置、デジタルビデオカメラ等）を接続でき、図２には、デジタルビデオカメラＤＶに接続したコードＣの端部に設けたコネクタ端子ＴをＩＥＥＥ１３９４端子部９へ接続する状況を示している。
【００４５】
図３は、ＢＤ用の第１トレイ１１及びＤＶＤ用の第２トレイ１２を引き出した状態の録画装置１を示している。第１トレイ１１は筐体２の内部に格納されており、トレイ開閉ボタン８ｆを押すと図示しない駆動機構が作動して開口２ｃより外方へ引き出されるようになっている。第１トレイ１１の上面はＢＤを載置できる形状になっており、ＢＤを載置した状態でトレイ開閉ボタン８ｆを再度押すと第１トレイ１１は筐体２の内方へ引き込まれる。なお、第１トレイ１１に載置されて筐体２の内部へ収納されたＢＤは、カートリッジ内の光ディスクがＢＤドライブ用のモータ部１４で駆動回転されると共に、第１光ピックアップ部１３から発せられる青色光で照射される。
【００４６】
ＤＶＤ用の第２トレイ１２は、上述した第１トレイ１１と同様に通常は筐体２の内部に格納されており、トレイ開閉ボタン８ｇが押されることで図示しない駆動機構が作動し開口２ｅより引き出される。第２トレイ１２の上面はＤＶＤの載置に合致した形状であり、ＤＶＤを載置した状態でトレイ開閉ボタン８ｇを再度押すと第２トレイ１２は筐体２へ引き込まれ、筐体２に格納されたＤＶＤはＤＶＤドライブ用のモータ部１４で駆動回転されると共に、第２光ピックアップ部１５が発するレーザ光で照射される。なお、録画装置１は、格納した状態の第２トレイ１１の下方となる筐体２の内部空間にハードディスク装置１７を配置している。
【００４７】
図４は、録画装置１の主要な内部構成を示すブロック図である。録画装置１は、各種放送を受信できるように、地上デジタルチューナ部２１、ＢＳ・１１０度ＣＳデジタルチューナ部２２、及びＶＨＦ／ＵＨＦチューナ部２３を備え、各チューナ部２１〜２３をデータ伝送線ｄ１〜ｄ３で画像／音声信号処理部２６に接続している。また、画像／音声信号処理部２６にはＩＥＥＥ１３９４端子部９（図２参照）、外部出力部２４、外部入力部２５、及び伝送制御処理部２７をデータ伝送線ｄ４〜ｄ７で接続している。
【００４８】
さらに、伝送制御処理部２７には、ＢＤドライブ部２８、ＤＶＤドライブ部２９、及びハードディスク装置１７用の接続インタフェース部３０をデータ伝送線ｄ８〜ｄ１０で接続している。録画装置１は、上述したような接続構成により、各チューナ部２１〜２３で受信した放送のコンテンツデータを画像／信号処理部２６、伝送制御処理部２７、及び所要のデータ伝送線ｄ１〜ｄ３等を通じてＢＤドライブ部２８、ＤＶＤドライブ部２９、及びハードディスク装置１７へ伝送できるようにしている。また、録画装置１は、ＢＤドライブ部２８、ＤＶＤドライブ部２９、及びハードディスク装置１７のそれぞれの間で伝送制御処理部２７及び各データ伝送線ｄ８〜ｄ１０を通じてデータを伝送できるようにしている。
【００４９】
また、録画装置１は、上述した各部２１、２２等の作動に対する制御、録画処理に係る制御、予約録画に係る制御及び装置全体に対する制御等を行う制御部２０を設けている。この制御部２０には、リモコン受光部７（図１参照）、操作部８、ＲＯＭ３１、ＲＡＭ３２、及びＢ−ｃａｓカード読取部３３が接続されており、制御部２０はＲＯＭ３１に記録されているプログラムに基づき所要の制御処理を行う。なお、図４のブロック図は、録画蔵置１の本発明に関連した部分のみを示しており、各チューナ部２１〜２３と接続されるアンテナ、及び各チューナ部２１〜２３等と制御部２０とを接続する制御線等の図示は省略している。
【００５０】
次に上述した各部２１、２２等の機能及び処理内容等をそれぞれ説明する。
地上デジタルチューナ部２１は、地上デジタル放送のコンテンツデータを受信する手段を備えた受信部であり、制御部２０の制御に従い受信処理を行うと共に、受信したコンテンツデータをデータ伝送線ｄ１を通じて画像／音声信号処理部２６へ伝送する。
【００５１】
ＢＳ・１１０度ＣＳデジタルチューナ部２２は、ＢＳデジタル放送及び１１０度ＣＳデジタル放送のコンテンツデータを受信する手段を備えた受信部であり、上述した地上デジタルチューナ部２１と同様に制御部２０の制御に従い受信処理を行い、受信したコンテンツデータをデータ伝送線ｄ２を通じて画像／音声信号処理部２６へ伝送する。なお、地上デジタル放送、ＢＳデジタル放送、及び１１０度ＣＳデジタル放送にはデジタルハイビジョン放送が含まれており、各デジタルチューナ部２１、２２はデータ量が大きいデジタルハイビジョン放送の受信も行う。また、各デジタルチューナ部２１、２２で受信した放送信号から電子番組表（ＥＰＧ）データを取得して、番組予約を行い所定の録画装置に予約録画をしたり、録画装置１に接続された表示装置（図示せず）の画面で番組選択や番組予約を行うことができる。
【００５２】
ＶＨＦ／ＵＨＦチューナ部２３は、地上アナログ放送のコンテンツデータを受信する受信部であり、制御部２０の制御に従い受信処理を行い、受信したコンテンツデータをデータ伝送線ｄ３を通じて画像／音声信号処理部２６へ伝送する処理を行う。なお、ＶＨＦ／ＵＨＦチューナ部２３は、コンテンツデータ以外に電子番組表データの受信も行い、受信した電子番組表は録画装置１に接続された表示装置（図示せず）の画面で番組選択や番組予約を行うことができる。
【００５３】
ＩＥＥＥ１３９４端子部９は、ＩＥＥＥ１３９４規格に対応した外部装置との接続用の入出力部であり、制御部２０の制御に従い制御信号及び画像・音声等のデータを接続先へ送信でき、また、接続先の外部装置が送出した制御信号及び画像・音声等のデータを受信して、データ伝送線ｄ４を通じて画像／音声信号処理部２６へ伝送する処理を行う。
【００５４】
外部出力部２４は、外部へ画像・音声データ等を外部へ出力するものであり、通常、録画装置１が受信した放送内容及び再生する内容等に係る画像及び音声を出力する装置に相当するテレビジョン装置が接続される。本実施形態の外部出力部２４は複数の出力端子を具備しており、具体的には映像出力端子、Ｓ映像端子、Ｄ映像端子、音声出力端子、光デジタル端子、ＨＤＭＩ（High-Definition Multimedia Interface：登録商標）端子、及びアンテナ出力端子等を備えている。また、外部入力部２５は、外部から各種データを受け付けるものであり、本実施形態では映像入力端子、Ｓ映像入力端子、及び音声入力端子をそれぞれ２系統ずつ設けている。
【００５５】
画像／音声信号処理部２６は、受け付けたデータに対して所要の処理を行うと共に、処理を行ったデータを制御部２０が指定する先へ伝送するものである。画像／音声信号処理部２６が行う処理としては、データのデコード処理及びコンバート処理等がある。
【００５６】
伝送制御処理部２７は、受け付けたデータを制御部２０の制御に従い所要の伝送先へ伝送する処理を行うものである。具体的なデータの伝送形態としては、放送番組の録画を行う場合、各チューナ部２１〜２３が受信したコンテンツデータを画像／音声信号処理部２６を通じて伝送制御処理部２７が受け付け、受け付けたコンテンツデータを録画先となるＢＤドライブ部２８、ＤＶＤドライブ部２９又はハードディスク装置１７のいずれかへ伝送する。また、ＢＤドライブ部２８及びＤＶＤドライブ部２９の間でダビング処理を行う場合は、伝送制御処理部２７及びデータ伝送線ｄ８、ｄ９を通じてダビング処理元からダビング処理先へデータを伝送する。また、ＢＤドライブ部２８及びハードディスク装置１７の間でダビング処理を行う場合、伝送制御処理部２７及びデータ伝送線ｄ８、ｄ１０を通じてデータを伝送し、ＤＶＤドライブ部２９及びハードディスク装置１７の間でダビング処理を行う場合、伝送制御処理部２７及びデータ伝送線ｄ９、ｄ１０を通じてデータを伝送する。
【００５７】
ＢＤドライブ部２８は、ＢＤに対してデータの書き込み処理及び読み出し処理を行う第１データ処理部に相当する。ＢＤドライブ部２８は、ＢＤを筐体２の内部へ受け入れるために第１トレイ１１（図３参照）及びトレイ駆動機構等を有すると共に、受け入れたＢＤを回転駆動するためのモータ部１４、並びにＢＤの有無検出、ＢＤの空き容量検出、ＢＤへのデータ書込、及びＢＤからのデータ読出等を行うための青色光を発する第１光ピックアップ部１３を有する。また、ＢＤドライブ部２８は、ＢＤからデータの読み出しを行った場合、読み出したデータをデータ伝送線ｄ８を通じて伝送制御処理部２７へ順次伝送している。さらに、ＢＤへデータの書き込みを行う場合、ＢＤドライブ部２８は伝送制御処理部２７からデータ伝送線ｄ８を通じて順次送られてくるデータを第１光ピックアップ部１３によりＢＤへ書き込む処理を行う。
【００５８】
ＤＶＤドライブ部２９は、ＤＶＤに対してデータの書き込み処理及び読み出し処理を行う第２データ処理部に相当し、上述したＢＤドライブ部２８と同様に、ＤＶＤを受け入れ用の第２トレイ１２（図３参照）、トレイ駆動機構等、及びＤＶＤの回転駆動用のモータ部１６、ＤＶＤの有無検出、ＤＶＤの空き容量検出、ＤＶＤへのデータ書込、及びＤＶＤからのデータ読出等を行うためのレーザ光を発する第２光ピックアップ部１５を具備している。ＤＶＤドライブ部２９がＤＶＤからデータの読み出しを行った場合、読み出したデータをデータ伝送線ｄ９を通じて伝送制御処理部２７へ順次伝送し、ＤＶＤへデータの書き込みを行う場合、ＤＶＤドライブ部２９は伝送制御処理部２７からデータ伝送線ｄ９を通じて順次送られてくるデータを第２光ピックアップ部１３によりＤＶＤへ書き込む処理を行う。
【００５９】
図３に示すように筐体２の内部に取り付けられるハードディスク装置１７は、接続インタフェース部３０を介してデータ伝送線ｄ１０と接続されており、本実施形態では接続インタフェース部３０がハードディスク装置１７に対してデータの書き込み処理及び読み出し処理を行う第３データ処理部に相当している。
【００６０】
接続インタフェース部３０でのデータ読み出し処理は、制御部２０の制御に従いハードディスク装置１７へデータ読出信号を送ることで、ハードディスク装置１７からデータを読み出し、このデータをデータ伝送路１０を通じて伝送制御処理部２７へ伝送する。なお、ハードディスク装置１７は制御回路、モータ駆動部、データが記録される磁気ディスク、及びヘッド部等を有し、接続インタフェース部３０からデータ読出信号を受けると、制御回路の制御に従いモータ駆動部が磁気ディスクを回転させてヘッド部により磁気ディスクの所要箇所からデータを読み出し、そのデータを接続インタフェース部３０へ送る。
【００６１】
また、接続インタフェース部３０でのデータ書き込み処理は、制御部２０の制御に従いハードディスク装置１７へデータ書込信号を送ると共に書き込むためのデータを伝送制御処理部２７から受け取ってハードディスク装置１７へ送ることで、ハードディスク装置１７にデータを書き込ませている。なお、ハードディスク装置１７は、接続インタフェース部３０からデータ書込信号を受けると、制御回路の制御に従いモータ駆動部が磁気ディスクを回転させてヘッド部を磁気ディスクの書込箇所に移動させて、送られてくるデータを磁気ディスクへ書き込む。
【００６２】
一方、制御部２０に接続されているリモコン受光部７は、図５に示すリモートコントロール装置（以下、リモコン装置と称す）４０からの操作信号に係る赤外光を受光し、受光した内容（操作信号）を制御部２０へ伝送する処理を行う。なお、リモコン装置４０は、図５に示すように多数のボタン及びキー等を具備しており、各ボタンの中にＤＶＤ切替ボタン４１、ＨＤＤ切替ボタン４２、及びＢＤ切替ボタン４３を有し、各切替ボタン４１〜４３は、図２に示す筐体２の奥前面部２ｂの中央箇所に設けた各切替スイッチ８ｃ〜８ｅと同等の機能が割り当てられている。また、リモコン装置４０は、上下左右キー４４〜４７及び決定キー４８を設けており、これらのキー４４〜４７はＯＳＤ（On Screen Display）等で表示されるメニュー画像中の項目からユーザが希望する項目を選択する場合などに操作される。
【００６３】
操作部８は図１、図２に示す装置本体側（筐体２）に設けられる各ボタン８ａ〜８ｇ等の集合部であり、操作部８を構成するボタンがユーザにより操作されることで、ボタンに割り当てられた操作信号が制御部２０へ伝送される。また、ＲＯＭ３１には制御部２０用のプログラム、ＯＳＤ用のメニュー画像データ、判断処理用の閾値及び基準値等が予め記録されている。ＲＡＭ３２には制御部２０で処理される内容（データ）等が一時的に記録される。さらに、Ｂ−ｃａｓカード読取部３３は、図２に示すスロット部１０に挿入されたＢ−ｃａｓカードの記録内容を読み取り、読み取った内容を制御部２０へ送っている。
【００６４】
次に、制御部２０の制御処理に基づく録画装置１の作動形態を説明する。先ず、ダビング処理として各記録媒体の間、又は記録媒体と外部の装置との間でデータの移動（コピーも含む）を行う場合、制御部２０は図６に示す第１メニュー画像５０に係る表示用データを外部出力部２４（図４参照）から出力する制御を行い、録画装置１に接続されたテレビジョン装置（図示せず）の画面に第１メニュー画像５０を表示させる。第１メニュー画像５０が表示されると、ユーザはリモコン装置４０を使って「ＨＤＤ」、「ＢＤ」、「ＤＶＤ」、「ＩＥＥＥ１３９４」と云う項目の中からダビング元を選択する操作を行う。制御部２０はリモコン受光部７からダビング元を選択する指示に係る操作信号を受けると、次に、ダビング先の指定を受け付けるメニュー画像を表示する処理を行う。
【００６５】
図７（ａ）は、ダビング元に「ＨＤＤ」が選択された場合に表示される第２メニュー画像５１を示す。この第２メニュー画像５１が表示されると、ユーザはリモコン装置４０を使って「ＢＤ」、「ＤＶＤ」、「ＩＥＥＥ１３９４」、「自動」の中からダビング先を選択する操作を行う。制御部２０はリモコン受光部７からダビング先を選択する指示に係る操作信号を受けると、ダビング元のハードディスク装置１７に記録されているデータの中からダビング処理を行いたいデータがユーザにより選択されることに従いデータ移動に係るダビング処理を開始する。
【００６６】
なお、第２メニュー画像５１で「自動」が選択された場合、制御部２０は、ダビング対象としてユーザに選択されるデータに最適なダビング先を特定し、特定したダビング先へデータのダビング処理を行う。制御部２０がダビング先を特定する処理は、データの種類、データ量等の検出結果に基づき行っており、例えば、ダビング対象のデータ量が「ＤＶＤ」の記録容量を超える場合はダビング先として「ＢＤ」を特定し、また、データの種類がハイビジョン放送を録画したものであれば、移動可能な回数が１回であることから確実にダビングが行えるように「ＢＤ」をダビング先に特定し、さらに、データの種類がアナログ放送を録画したもので且つデータ量も「ＤＶＤ」の記録容量に収まる場合はダビング先として「ＤＶＤ」を特定する。
【００６７】
また、図７（ｂ）は、ダビング元に「ＢＤ」が選択された場合に表示される第３メニュー画像５２を示し、第３メニュー画像５２が表示されると、ユーザはリモコン装置４０を使って「ＨＤＤ」、「ＤＶＤ」、「ＩＥＥＥ１３９４」の中からダビング先を選択する操作を行う。なお、ダビング先の選択後は、上記「ＨＤＤ」で説明した場合と同様に、ダビング対象のデータが選択されることでダビング処理が開始される。
【００６８】
また、図７（ｃ）は、ダビング元に「ＤＶＤ」が選択された場合に表示される第４メニュー画像５３を示し、第４メニュー画像５３が表示されると、ユーザはリモコン装置４０を使って「ＨＤＤ」、「ＢＤ」、「ＩＥＥＥ１３９４」の中からダビング先を選択する操作を行う。さらに、図７（ｄ）は、ダビング元に「ＩＥＥＥ１３９４」が選択された場合に表示される第５メニュー画像５４を示し、第５メニュー画像５４が表示されると、ユーザはリモコン装置４０を使って「ＨＤＤ」、「ＢＤ」、「ＤＶＤ」の中からダビング先を選択する操作を行う。なお、「ＤＶＤ」及び「ＩＥＥＥ１３９４」がダビング元の場合も、ダビング先の選択後は上記と同様にデータが選択されてダビング処理が行われる。
【００６９】
ダビング処理に対して上述したような制御を制御部２０が行うことで、本実施形態の録画装置１は「ＢＤ」「ＤＶＤ」「ＨＤＤ（ハードディスク装置１７）」、及び「ＩＥＥＥ１３９４（ＩＥＥＥ１３９４端子部９）」の間で双方向にダビング処理を行うことができ、結果として計１２方向のダビング録画を実現している。なお、ダビング元、ダビング先として「ＢＤ」、「ＤＶＤ」が選択された場合、制御部２０はＢＤドライブ部２８の第１光ピックアップ部１３、ＤＶＤドライブ部２９の第２光ピックアップ部１５でＢＤ、ＤＶＤが各トレイ１１、１２に載置されているかを検出させており、載置されていないことを検出したときは「ディスクをセットして下さい」と云うような内容の注意画像を接続された表示装置（図示せず）に出力して表示させる処理を行う。
【００７０】
なお、外部の装置が関連する「ＩＥＥＥ１３９４」に係るダビング処理の中で、ダビング元が「ＩＥＥＥ１３９４」であり、ダビング先が「ＢＤ」、「ＨＤＤ」となるパターンは、ＢＤ及びＨＤＤ（ハードディスク装置１７）はいずれも大記録容量を確保した記録媒体であるため、外部の装置から大きなデータ量のデータをダビングする際に好適となる。また、ダビング元が「ＨＤＤ」であり、ダビング先が「ＩＥＥＥ１３９４」の場合、ＨＤＤ（ハードディスク装置１７）には録画装置１が録画する多様なデータが記録されていることから、多様なデータを他の装置で活用する点において重要になる。
【００７１】
図８は、制御部２０の制御により録画装置１が予約録画処理を行う場合に表示される第６メニュー画像５５を示している。予約録画を行う場合、予めハードディスク装置１７等に記録されている電子番組表などを利用して録画したい番組が選択されてから、第６メニュー画像５５が表示され、録画先として「ＨＤＤ」、「ＢＤ」、「ＤＶＤ」、「ＩＥＥＥ１３９４」、「自動」、及び「連続」と云う項目の中からユーザが希望するものを選択する操作が行われ、制御部２０は選択項目を指示する操作信号をリモコン受光部７又は操作部８から受け付けることになる。その後、ユーザにより録画モード等が選択されて予約が完了すると、制御部２０は予約された番組の放送時間に合わせて各チューナ部２１〜２３のいずれかで受信を行い、選択された録画先で受信されたコンテンツデータの録画処理を行わせる。
【００７２】
なお、通常の録画処理も第６メニュー画像５５に従って録画先をユーザが選択することが可能であるが、録画先として「ＨＤＤ」、「ＢＤ」、「ＤＶＤ」を選択する場合は、図２に示す切替スイッチ８ｃ〜８ｅ又は図５に示すリモコン装置４０の切替ボタン４１〜４３を操作することで選択の指示を制御部２０へ与えることができる。また、録画先として「ＢＤ」又は「ＤＶＤ」が選択された場合は、データの保管に適した着脱タイプの記録媒体であるＢＤ、ＤＶＤにデータ直接的に録画されるため、一旦ハードディスク装置１７に録画する場合に比べてダビング処理を省けて好適となる。
【００７３】
また、図８の第６メニュー画像５５で「自動」が選択された場合、制御部２０は、予め選択された録画対象の番組に応じて録画先として「ＢＤ」又は「ＤＶＤ」を特定する。具体的には、制御部２０は各チューナ部２１〜２３が受信する番組に係るコンテンツデータのデータ量、番組の種類、録画モード等に応じて録画先の特定を行っており、例えば、録画対象の番組がデジタルハイビジョン放送のときは録画先として「ＢＤ」を特定し、録画対象の番組がアナログ放送、データ量の小さいデジタル放送のときは録画先として「ＤＶＤ」を特定する。また、録画対象の番組が非常に長時間で「ＤＶＤ」の記録容量を越えるときは「ＢＤ」を制御部２０が特定し、録画対象の番組は長時間でないとき、一般的な録画モードであるとき（ＳＰモード）、長時間用の録画モードであるとき（ＬＰ、ＥＰモード）等は録画先として「ＤＶＤ」を制御部２０は特定する。なお、録画時間が長時間であるか否かはＲＯＭ３１に記録されている閾値を基準にして制御部２０が判断する。
【００７４】
上述したように、第６メニュー画像５５で「自動」が選択された場合、着脱タイプの記録媒体であるＢＤ又はＤＶＤのいずれかが、録画内容に応じて選ばれるため、この場合も保存に適した記録媒体へ直接的に録画を行って無用なダビング処理を不要にできる。
【００７５】
さらに、図８の第６メニュー画像５５で「連続」が選択された場合、制御部２０はＢＤ（ＢＤドライブ部２８）、ハードディスク装置１７、ＤＶＤ（ＤＶＤドライブ部２９）の順で連続的に録画処理を行う。録画処理の切替はＢＤ及びＤＶＤの空き容量、ＢＤ及びＤＶＤの検出、及び録画対象のコンテンツデータがコマーシャルであるか否かの検出に基づき行っている。具体的に、制御部２０はＢＤドライブ部２８でＢＤに録画を行っている場合、録画対象のコンテンツデータがコマーシャル中か否かをデータの識別子で検出し、コマーシャル中であることを検出したときはＢＤの空き容量を検出し、空き容量がＲＯＭ３１に記録されている基準値を下回った場合、録画先をハードディスク装置１７（ＨＤＤ）へ切り替える処理を行う。
【００７６】
また、ハードディスク装置１７へ録画を切り替えた場合、ＤＶＤドライブ部２９でＤＶＤの録画準備が完了すれば、制御部２０は録画処理をＤＶＤドライブ部２９へ切り替える処理を行う。さらに、ＤＶＤへの録画処理中には上記と同様に録画対象がコマーシャル中か否かを検出し、コマーシャル中であればＤＶＤの空き容量を検出し、空き容量がＲＯＭ３１に記録されている基準値を下回った場合、録画先をハードディスク装置１７へ切り替える処理を行う。さらにまた、ハードディスク装置１７へ録画を切り替えた場合、ＢＤドライブ部２８でＢＤの録画準備が完了すれば、制御部２０は録画処理をＢＤドライブ部２８へ切り替える処理を行い、以降、録画対象の放送が終了するまで、上記処理を繰り返し続ける。
【００７７】
なお、上記処理では、空き容量の不足により録画がハードディスク装置１７へ切り替えられたときは、録画されたＢＤ又はＤＶＤはユーザの操作により各トレイ１１、１２から取り出されて新たなものに載せ換えられるものとする。また、ハードディスク装置１７へ切り替えられる場合は、切り替えられる時間がタイムスタンプ信号としてＢＤ、ＤＶＤへ記録されると共に、ハードディスク装置１７から録画が切り替えられた場合も、切り替えられる時間がタイムスタンプ信号としてＢＤ、ＤＶＤへ記録されるように制御部２０が制御を行う。このようにタイムスタンプ信号を記録しておくことで、再生時にＢＤとＤＶＤの順序を区別できるようになり、誤ったディスクがセットされた場合は、順序に応じたタイムスタンプ信号が記録されているものをセットするようにＯＳＤでユーザに通知する処理を行う。
【００７８】
図９に示すフローチャートは、上述した図８の第６メニュー画像５５で「連続」が選択された場合における録画装置１の処理手順をまとめたものであり、以下、このフローチャートに従って「連続」に係る処理の流れを整理して説明する。なお、この処理では既に録画対象の番組及び録画モード等は既に選択されているものとする。
先ず、録画装置１は第６メニュー画像５５で「連続」が選択されて、連続録画が指示されたか否かを判断する（Ｓ１）。連続録画が指示されていない場合（Ｓ１：ＮＯ）、指示待ちとなり、連続録画が指示された場合（Ｓ１：ＹＥＳ）、次にＢＤ及びＤＶＤのディスクがセットされているか光ピックアップ部１３、１５で検出を行う（Ｓ２）。各ディスクがセットされていることを検出できない場合（Ｓ２：ＮＯ）、制御部２０はディスクが無い旨をＯＳＤによりユーザに報知し（Ｓ３）、ディスクの検出の段階（Ｓ２）へ戻り、ディスクが検出されるまでユーザへの報知を続ける。
【００７９】
一方、各ディスクのセットが検出された場合（Ｓ２：ＹＥＳ）、録画装置１は録画対象の番組が放送されると受信した放送番組のコンテンツデータをＢＤに録画する処理をＢＤドライブ部２８で開始する（Ｓ４）。放送の受信中、録画装置１の制御部２０は放送内容が現在、コマーシャル中か否かをコンテンツデータの識別子に基づき判断する（Ｓ５）。コマーシャル中でないと判断した場合（Ｓ５：ＮＯ）、録画対象の番組放送が終了して録画終了になるか否かを判断する（Ｓ６）。録画終了でないと判断した場合（Ｓ６：ＮＯ）、コマーシャル中か否かの判断段階（Ｓ５）へ戻る。
【００８０】
コマーシャル中であると判断した場合（Ｓ５：ＹＥＳ）、制御部２０はＢＤの空き容量が基準値以下であるか否かを第１光ピックアップ部１３により検出する（Ｓ７）。空き容量が基準値以下でない場合（Ｓ７：ＮＯ）、コマーシャル中か否かの判断段階（Ｓ５）へ戻り、また空き容量が基準値以下である場合（Ｓ７：ＹＥＳ）、現在の時刻に係るタイムスタンプ信号をＢＤに書き込んでからハードディスク装置（ＨＤＤ）１７に録画を切り替える（Ｓ８）。
【００８１】
さらに、制御部２０は、ＤＶＤドライブ部２９でのＤＶＤに対する録画準備が完了しているか否かを第２光ピックアップ部１３で検出し（Ｓ９）、準備が完了していない場合（Ｓ９：ＮＯ）、録画終了になるか否かを判断し（Ｓ１０）、録画終了でないと判断した場合（Ｓ１０：ＮＯ）、準備完了の検出段階（Ｓ９）へ戻り、以降、準備が完了するまで、準備完了の検出（Ｓ９）及び録画終了の判断（Ｓ１０）を繰り返す。また、ＤＶＤの録画準備完了を検出した場合（Ｓ９：ＹＥＳ）、録画処理をＤＶＤドライブ部２９に切り替えてＤＶＤへ切り替えた時刻に係るタイムスタンプ信号を書き込んで録画を継続する（Ｓ１１）。
【００８２】
続いて、制御部２０は、放送内容が現在、コマーシャル中か否かをコンテンツデータの識別子に基づき判断し（Ｓ１２）、コマーシャル中でないと判断した場合（Ｓ１２：ＮＯ）、録画終了になるか否かを判断し（Ｓ１３）、録画終了でないと判断した場合（Ｓ１３：ＮＯ）、コマーシャル中か否かの判断段階（Ｓ１２）へ戻る。また、コマーシャル中であると判断した場合（Ｓ１２：ＹＥＳ）、制御部２０はＤＶＤの空き容量が基準値以下であるか否かを第２光ピックアップ部１５により検出し（Ｓ１４）、空き容量が基準値以下でない場合（Ｓ１４：ＮＯ）、コマーシャル中か否かの判断段階（Ｓ１２）へ戻り、空き容量が基準値以下である場合（Ｓ１４：ＹＥＳ）、現在の時刻に係るタイムスタンプ信号をＤＶＤに書き込んでからハードディスク装置（ＨＤＤ）１７に録画を切り替える（Ｓ１５）。
【００８３】
それから、制御部２０は、ＢＤドライブ部２８でＢＤに対する録画準備が完了しているか否かを第１光ピックアップ部１３で検出し（Ｓ１６）、準備が完了していない場合（Ｓ１６：ＮＯ）、録画終了になるか否かを判断し（Ｓ１７）、録画終了でないと判断した場合（Ｓ１７：ＮＯ）、準備完了の検出段階（Ｓ１６）へ戻り、以降、準備が完了するまで、準備完了の検出（Ｓ１６）及び録画終了の判断（Ｓ１７）を繰り返す。また、ＢＤの録画準備完了を検出した場合（Ｓ１６：ＹＥＳ）、録画処理をＢＤドライブ部２８へ切り替えて切り替えた時刻に係るタイムスタンプ信号をＢＤに書き込んで録画を継続し、コマーシャル中か否かの判断の段階（Ｓ５）へ戻り、以降、上述した処理を繰り返す。最後に、上述した処理中の録画終了になるか否かのいずれかの判断段階（Ｓ６、１０、１３、１７）で、制御部２０が録画終了と判断した場合（Ｓ６、１０、１３、１７：ＹＥＳ）、全ての録画処理を終了する。
【００８４】
録画装置１が上述したような連続録画を行うことで非常に長時間の放送番組に対しても複数のＢＤ、ＤＶＤに連続的に録画を行うことができ、また、ＢＤとＤＶＤとの録画切替は基本的にコマーシャル中に行われるため、実質的な内容が損なわれることなく保存に適した記録媒体であるＢＤ及びＤＶＤへ直接的に録画が行われる。また、コマーシャル中に切替が行われない場合もハードディスク装置１７がバッファ的に切替時の内容を記録しているため、放送される内容はＢＤ、ＤＶＤ、又はハードディスク装置１７に必ず記録されている。さらに、連続録画を行ったＢＤ及びＤＶＤにはタイムスタンプ信号が記録されているので、タイムスタンプ信号が示す時刻の順序に従って各ディスクを順次セットすることで、放送された番組の内容に沿って再生を行える。
【００８５】
このように本発明に係る実施形態の録画装置１は大記録容量を有するＢＤの特性を生かして多様なダビング形態を実現すると共に、デジタルハイビジョン放送のようなデータ量の大きい番組及び長時間の番組等に対してもＢＤへ直接的に録画を行うことができ、さらには他の記録媒体であるＤＶＤ及びＨＤＤ（ハードディスク装置１７）と連携した録画処理も可能にして様々な録画形態にも対応できる。なお、本発明の録画装置１は上述した実施形態に限定されるものではなく種々の変形例の適用が可能である。
【００８６】
例えば、図９のフローチャートに示す連続録画の処理では、ＤＶＤドライブ部２９を最初にして、次にハードディスク装置１７、その後にＢＤドライブ部２８の順で録画を行うように変更することも可能であり、また、切替処理の判断はコマーシャル中か否かの替わりに、放送される内容のシーンが変更になったとき、音声がステレオ放送になったとき等を検出して切替処理を行うようにしてもよい。
【００８７】
また、図１０の変形例の録画装置６０に示すように、ＢＤ及びＤＶＤの受入に対してトレイを設けるのではなく、筐体６２の前面６２ａ側のパネル６３の開放により露出する奥前面部６２ｂにＢＤ及びＤＶＤ挿入用のスロット６２ｃ、６２ｅを開口し、各スロット６２ｃ、６２ｅにシャッタ６２ｄ及び６２ｆを設けた構成にしてもよい。なお、この場合は、スロット６２ｃ、６２ｅの内部にＢＤ及びＤＶＤの案内導出機構を設ける必要がある。上述したスロット６２ｃ、６２ｅに係る構成にすることで、トレイ及びトレイ駆動機構を省略でき、装置の小型化が容易になる。
【００８８】
さらに、図１１（ａ）（ｂ）の他の変形例の録画装置７０を示すように、トレイの替わりに筐体７２の上面７２ａに開口７２ｂ、７２ｃを形成すると共に、各開口７２ｂ、７２ｃを閉鎖するような開閉式の蓋部７３、７４を設け、蓋部７３、７３を開放した開口７２ｂ、７２ｃ内の凹部に７２ｄ、７２ｅに、光ピックアップ部７７ａ、７８ａ及びモータ部７７ｂ、７８ｂ等を配置した構成にしてもよい。なお、変形例の録画装置７０は右側がＢＤ用であり、左側がＤＶＤ用であり、開口７２ｂ、７３ｃの傍のエジェクトボタン７５、７６を押すことで蓋部７３、７４が開くようになっている。この変形例の録画装置７０では、ＢＤ及びＤＶＤの受入用の機構を筐体７２の内部に設ける必要がなくなり、また、上部にＢＤ及びＤＶＤに係る構成部分を集中配置できるため、筐体７２内のスペースを効率的に使用できる点で好適となる。
【００８９】
さらにまた、図１２（ａ）（ｂ）は別の変形例の録画装置８０を示す。この録画装置８０は、高さ方向の寸法を横方向より大きくした縦型直方体の筐体８２を用い、ＢＤ及びＤＶＤの受入部を縦方向に配置していることが特徴である。具体的には筐体８２の前面８２ａの上下部に開閉式のシャッタ８２ｄ、８２ｆを備えた開口８２ｃ、８２ｅを形成すると共に、中間部に表示部８３を配置し、各開口８２ａ、８２ｅの傍にエジェクトボタン８４、８５を設けている。各エジェクトボタン８４、８５を押すと、開口８２ｃ、８２ｅからＢＤ用の第１トレイ８６及びＤＶＤ用の第２トレイ８７が引き出される。このような構成の録画装置８０は横方向（水平方向）の寸法が他の録画蔵置１、６０、７０に比べて小さいため、載置スペースが限定する場合等に好適となる。なお、縦型の録画装置８０では、トレイ８６、８７の替わりに、図１０に示すＢＤ、ＤＶＤ挿入用のスロットを設けた構成を適用することも可能である。
【００９０】
また、上述した実施形態及び各変形例では、第１記録媒体としてＢＤを用いる例で説明したが、ＢＤの替わりにＨＤＤＶＤを用いることも可能である。この場合はＢＤドライブ部２８の構成をＨＤＤＶＤに対するデータ処理に合致した構成に変更することが必要である。
【００９１】
さらに、上述した実施形態及び各変形例において、第２記録媒体もＤＶＤ以外の着脱タイプの記録媒体を適用することが可能であり、例えば、各種磁気テープ、ＤＶＤ以外の光ディスク、半導体メモリ、及び着脱タイプのハードディスクドライブ等を第２記録媒体として適用できる。このように第２記録媒体をＤＶＤ以外の上述した着脱タイプの記録媒体に変更する場合は、ＤＶＤドライブ部２９の構成を、変更する記録媒体に対するデータ処理に合致した構成のドライブ部に置き換えることが必要である。
【００９２】
なお、第２記録媒体に適用できるＤＶＤ以外の光ディスクには、ＢＤ及びＨＤＤＶＤも勿論含まれており、第１記録媒体及び第２記録媒体にそれぞれＢＤを適用したときは、２枚のＢＤにより大記録容量を確保でき、デジタルハイビジョン放送を録画する場合などに一段と好適になる。また、第１記録媒体にＢＤ又はＨＤＤＶＤ、第２記録媒体にＨＤＤＶＤ又はＢＤを適用した場合は、記録方式の異なる大記録容量を有する２種類の記録媒体に対してデータ処理を行うことができ、記録方式の制限を受けることなく各記録媒体に記録したデータを自由に活用できる装置構成を確保できる。
【００９３】
さらにまた、上述した実施形態及び各変形例において、第３記録媒体もハードディスク装置１７に限定されるものではなく、他の種類の記録媒体を第３記録媒体に適用することが可能である。第３記録媒体として適用できる記録媒体には装置内に取り付けるタイプのもの以外に、第１記録媒体及び第２記録媒体として適用できる着脱タイプの各種記録媒体を用いることが可能であり、ハードディスク装置１７の替わりに着脱タイプの記録媒体を適用する場合は、ハードディスク装置１７及び接続インタフェース部３０を、適用する記録媒体に合致したドライブ部に置き換えることとなる。
【００９４】
また、上述した実施形態及び変形例では３つの記録媒体を用いる構成で説明したが、第４記録媒体、第５記録媒体というように３つ以上の記録媒体に対応できるデータ処理部をさらに設けることも可能である。新たに設けるデータ処理部が対応できる記録媒体の種類には、上述した第１記録媒体、第２記録媒体及び第３記録媒体として適用できる種類のものを用いることが可能であり、この場合、用いる種類の記録媒体に応じたドライブ部をデータ処理部として装置内部に設けることが必要である。このように３つ以上の記録媒体に対応可能とすることにより、さらに多方向のダビング処理を実現でき、ユーザが保有するデータの利用性をさらに向上できる。
【００９５】
なお、上述したように第２記録媒体にＤＶＤ以外の記録媒体を用いる場合は、第２記録媒体に対するデータ処理を読出専用にすることも可能であり、このようにした場合は、第２記録媒体をダビング先とするダビング処理は省略されることになる。また、第３記録媒体にハードディスク装置１７以外の記録媒体を用いる場合も、第３記録媒体に対するデータ処理を読出専用にでき、この場合は第３記録媒体をダビング先とするダビング処理を省略する。このように第２記録媒体、第３記録媒体に対するデータ処理を読出専用にすることで装置構成の簡易化を図れ、装置コストを低減できる。また、外部装置とのデータ送受が不要な場合は、ＩＥＥＥ１３９４端子部９を省略することも可能であり、この場合は一段と装置構成の簡易化を図れる。
【図面の簡単な説明】
【００９６】
【図１】本発明の実施形態に係る録画装置の斜視図である。
【図２】実施形態の録画装置のパネル部を開放した状態を示す斜視図である。
【図３】録画装置の２つのトレイを外方へ引き出した状態を示す斜視図である。
【図４】録画装置の主要な内部構成を示すブロック図である。
【図５】リモコン装置を示す正面図である。
【図６】ダビング元の選択に係る第１メニュー画像の概略図である。
【図７】（ａ）〜（ｄ）はダビング先の選択に係る第２乃至第５メニュー画像である。
【図８】録画先の選択に係る第６メニュー画像である。
【図９】連続録画に係る処理手順を示すフローチャートである。
【図１０】変形例の録画装置の斜視図である。
【図１１】他の変形例の録画装置であり、（ａ）は蓋部を閉鎖した状態の斜視図、（ｂ）は蓋部を開放した状態の斜視図である。
【図１２】他の変形例の録画装置であり、（ａ）はトレイを収納した状態の斜視図、（ｂ）はトレイを外方へ引き出した状態の斜視図である。
【符号の説明】
【００９７】
１  録画装置
２  筐体
３  パネル部
７  リモコン受光部
９  ＩＥＥＥ１３９４端子部
１１  第１トレイ
１２  第２トレイ
１３  第１光ピックアップ部
１５  第２光ピックアップ部
１７  ハードディスク装置
２１  地上デジタルチューナ部
２２  ＢＳ・１１０度ＣＳデジタルチューナ部
２３  ＶＨＦ／ＵＨＦチューナ部
２６  画像／音声信号処理部
２７  伝送制御処理部
２８  ＢＤドライブ部
２９  ＤＶＤドライブ部
３０  接続インタフェース部
【図１】
2006139833.tif 000003
【図２】
2006139833.tif 000004
【図３】
2006139833.tif 000005
【図４】
2006139833.tif 000006
【図５】
2006139833.tif 000007
【図６】
2006139833.tif 000008
【図７】
2006139833.tif 000009
【図８】
2006139833.tif 000010
【図９】
2006139833.tif 000011
【図１０】
2006139833.tif 000012
【図１１】
2006139833.tif 000013
【図１２】
2006139833.tif 000014